(57)【要約】【課題】手差しの記録媒体を折る場合、この記録媒体の表裏に拘わらず、既定の折り方をすることができる。【解決手段】本発明は、記録媒体の表裏に対応した互いに異なる折り動作を行う記録媒体折り部６０と、前記記録媒体折り部６０に搬送される記録媒体の表面を読み取る画像読取部１３と、画像読取部１３の読取結果に基き、当該記録媒体の表裏に対応した折り動作を記録媒体折り部６０に行わせる折り実行手段とを有する。【選択図】図１
2016113284.tif 000002
【特許請求の範囲】
【請求項１】
記録媒体の表裏に対応した互いに異なる折り動作を行う記録媒体折り部と、
前記記録媒体折り部に搬送される記録媒体の表面を読み取る画像読取部と、
前記画像読取部の読取結果に基づいて、当該記録媒体の表裏に対応した折り動作を前記記録媒体折り部に行わせる折り実行手段と、を有していることを特徴とする記録媒体折りシステム。
【請求項２】
前記折り実行手段は、前記記録媒体の表面に対応して山折りを、かつ、前記記録媒体の裏面に対応して谷折りを、前記記録媒体折り部に行わせることを特徴とする請求項１に記載の記録媒体折りシステム。
【請求項３】
記録媒体折りシステムは画像形成装置と記録媒体折り装置とからなり、
前記画像読取部は前記画像形成装置に備えられていることを特徴とする請求項１又は２に記載の記録媒体折りシステム。
【請求項４】
前記画像形成装置は、前記画像読取部で読み取った画像データを記録媒体上に形成する画像形成機能を有することを特徴とする請求項３に記載の記録媒体折りシステム。
【請求項５】
記録媒体の表裏に対応した互いに異なる折り動作を行う記録媒体折り部と、この記録媒体折り部に搬送される記録媒体の表面を読み取る画像読取部と、
この画像読取部の読取結果に基づいて、当該記録媒体の表裏に対応した折り動作を前記記録媒体折り部に行わせる折り実行手段と、を有していることを特徴とする記録媒体折り装置。
【請求項６】
記録媒体の表裏に対応した互いに異なる折り動作を行う記録媒体折り装置に、画像を読み取った記録媒体を搬送可能な画像読取部と、
前記画像読取部が前記読み取って得た表裏情報を前記記録媒体折り装置に送信する表裏情報送信手段とを有することを特徴とする画像形成装置。
【請求項７】
記録媒体の表裏に対応した互いに異なる折り動作を行う記録媒体折り部と、
前記記録媒体折り部に搬送される記録媒体の表面を読み取る画像読取部とを備えた記録媒体折りシステムを用いた記録媒体折り方法において、
前記画像読取部の読取結果に基づいて、当該記録媒体の表裏に対応した折り動作を前記記録媒体折り部に行わせることを特徴とする記録媒体折り方法。
【発明の詳細な説明】
【技術分野】
【０００１】
本発明は、記録媒体折りシステム、記録媒体折り装置、画像形成装置及び記録媒体折り方法に関する。
【背景技術】
【０００２】
従来、この種の記録媒体折りシステムとして、「紙折り装置及び画像形成装置」とした名称において特許文献１に開示された構成のものがある。
特許文献１に開示された紙折り装置は、搬送ローラ対により搬送される用紙を第１，第２の案内部材によって案内させつつ、その第１，第２の案内部材を第１，第２の折りローラ対に第１，第２の移動手段によって当接させて折り曲げるように構成したものである。
【発明の概要】
【発明が解決しようとする課題】
【０００３】
特許文献１に開示された紙折り装置は、画像形成装置から排出した用紙を折るように配置した上記使用態様の他、その紙折り装置を単独で使用することができる構成になっている。
【０００４】
しかしながら、同上の紙折り装置を単独で使用した場合、用紙を表裏逆向きに挿入したときには、既定の谷折り山折りとは逆の折り方になってしまうという課題が未解決のままである。
【０００５】
そこで本発明は、上記従来の課題に鑑みてなされたものであり、手差しの記録媒体を折る場合、この記録媒体の表裏に拘わらず、既定の折り方をすることができる記録媒体折りシステムの提供を目的としている。
【課題を解決するための手段】
【０００６】
上記課題を解決するための請求項１に記載した本発明は、記録媒体の表裏に対応した互いに異なる折り動作を行う記録媒体折り部と、前記記録媒体折り部に搬送される記録媒体の表面を読み取る画像読取部と、前記画像読取部の読取結果に基づいて、当該記録媒体の表裏に対応した折り動作を前記記録媒体折り部に行わせる折り実行手段と、を有していることを特徴とする。
【発明の効果】
【０００７】
本発明によれば、手差しの記録媒体を折る場合、この記録媒体の表裏に拘わらず、記録媒体を既定の折り方にすることができる。
【図面の簡単な説明】
【０００８】
【図１】第一の実施形態に係る記録媒体折りシステムの側断面図であり、記録媒体の表面を読み取る様子を示している。
【図２】ブリッジ部を中心とした記録媒体折り装置と画像形成装置の部分拡大側断面図である。
【図３】同上の第一の実施形態に係る記録媒体折りシステムの側断面図であり、記録媒体を搬送する様子を示している。
【図４】同上の第一の実施形態に係る記録媒体折りシステムの背断面図である。
【図５】同上の画像形成装置と記録媒体折り装置の電気的構成を示すブロック図である。
【図６】同上の画像形成装置と記録媒体折り装置の制御内容を示すフローチャートである。
【図７】ジャバラ折り部により折り動作を行う様子を示す説明図であり、（Ａ）は、表面に画像が印刷されているとき、山折りから谷折りを行う動作、（Ｂ）は、裏面に画像が印刷されているとき、谷折りから山折りを行う動作を示している。
【図８】画像形成装置の操作部を中心とした部分拡大側断面図である。
【図９】（Ａ）は、他例に係る記録媒体折り装置の側面図、同図（Ｂ）は、（Ａ）に示す記録媒体折り装置の部分拡大側断面図、（Ｃ）は、（Ａ）に示す記録媒体折り装置の部分拡大側断面図である。
【発明を実施するための形態】
【０００９】
以下に、第一の実施形態に係る記録媒体折りシステムについて図１〜６を参照して詳細に説明する。なお、各図中、同一又は対応する各部分には同一の符号を付すことにより、それらの重複した説明については適宜に簡略化し又は省略する。
【００１０】
まず、図１は、第一の実施形態に係る記録媒体折りシステムの側断面図であり、記録媒体の表面を読み取る様子を示している。図２は、ブリッジ部を中心とした画像形成装置と記録媒体折り装置の部分拡大側断面図である。また、図３は、同上の第一の実施形態に係る記録媒体折りシステムの側断面図であり、記録媒体を搬送する様子を示している。
【００１１】
図１〜３に示す第一の実施形態に係る記録媒体折りシステム２００は、画像形成装置２１０、この画像形成装置２１０から送出される、記録媒体である用紙１ａの搬送経路下流側に配設された記録媒体折り装置２２０及びクロス折り装置２３０を有している。
なお、本実施形態においては、記録媒体折りシステム２００としてクロス折り装置２３０を有する構成のものを示すが、クロス折り装置２３０は必要に応じて設ければよいものである。
【００１２】
画像形成装置２１０は、下記の画像読取部１３で読み取った画像データを転写紙１ｃ上に形成する画像形成機能を有するものである。
すなわち、読み取った原稿１ｂの画像又はネットワーク経由で受信した画像を転写紙１ｃに印刷し、その転写紙１ｃを所定の搬送経路に沿って排出する機能を有した例えば複合機・複写機である。
なお、転写紙１ｃは画像が印刷される以前のものをいい、用紙１ａは後記する画像印刷部２２により画像が印刷された以後のものをいう。
この画像形成装置２１０の構成を大別すると、原稿搬送機構１０を有し、画像を読み取った記録媒体を搬送可能な画像読取部１３、給紙部２０及び操作部３０を有しており、それらの概略構成は次のとおりである。
【００１３】
原稿搬送機構１０は、原稿搬送テーブル１１とともに、原稿搬送モータ１５や原稿搬送のための搬送コロや駆動機構（図示しない）を備えており、これの原稿搬送経路には、原稿挿入検知センサ１２、画像読取部１３が配設されている。
【００１４】
原稿挿入検知センサ１２は、原稿搬送テーブル１１に挿入された原稿１ｂ又は手差しされた折り畳もうとする用紙（以下、単に「用紙という。）１ｄを検知するためのものである。
画像読取部１３は、原稿１ｂ又は用紙１ｄの表面を読み取るものであり、読み取った画像データはメモリ（図示しない）に記憶されるようになっている。
【００１５】
また、上記原稿搬送経路の終端部近傍には、この原稿搬送経路を二方向に分岐させるための搬送切替爪１４が配設されている。
この搬送切替爪１４は、原稿上方排紙口１７に向かう分岐排紙路と、原稿後方排紙口１８に向かう分岐排紙路とを切り替えるように、後記する原稿排紙切替ソレノイド１６により駆動されるようになっている。
【００１６】
給紙部２０は、複数のロール紙２１から転写紙１ｃを供給する機能を有するものであり、この給紙部２０から送給される転写紙１ｃの送給経路上には画像印刷部２２が配設されている。
【００１７】
送給経路の終端部近傍には、送給経路を二方向に分岐させるための搬送切替爪２３が配設されている。
この搬送切替爪２３は、用紙前方排紙口２４に向かう分岐排紙路と、用紙後方排紙口２５に向かう分岐排紙路とを切り替えるように、後記する用紙排紙切替ソレノイド２６により駆動されるようになっている。
【００１８】
操作部３０は、様々な原稿読み取り条件、転写紙１ｃへの画像の印刷、詳細を後述する記録媒体折り装置２２０の動作等の各条件を設定できるようにしている。また、本装置や記録媒体折り装置２２０の状態を含む種々の情報を表示するためのディスプレイ（図示しない）も有している。
このように、操作部３０によって、様々な原稿読み取り条件、転写紙１ｃへの画像の印刷、詳細を後述する記録媒体折り装置２２０の動作等の各条件を設定しているので、記録媒体折り装置２２０から手差し折りのための機構をなくすことができる。
また、画像形成装置２１０の操作及び記録媒体折り装置２２０の各操作を操作部３０から行えるので、操作者は、画像形成装置２１０と記録媒体折り装置２２０との間を移動しながらの操作を行う必要がなく、利便性を向上させることができる。
【００１９】
上記の構成からなる画像形成装置２１０の動作について説明する。
＜搬送・画像読み取り動作＞
原稿１ｂを原稿搬送テーブル１１に載置すると、上記原稿挿入検知センサ１２により原稿１ｂの挿入が検知され、原稿１ｂの搬送動作と、画像読取部１３によって原稿１ｂに記録されている画像の読み取り動作が行われて、上記した図示しないメモリに記録される。
【００２０】
画像を読み取った後の原稿１ｂは、予め設定された条件に従い、上記した原稿後方排紙口１８又は原稿上方排紙口１７から排紙される。
記録媒体折り装置２２０には、  図１，２に示すようなブリッジ部４０が設けられている。
ブリッジ部４０は、原稿後方排紙口１８から排紙された原稿１ｂを受け入れる上方位置（ア）と、用紙後方排紙口２５から排出された用紙１ａを受け入れる下方位置（イ）との間で揺動自在に軸支されている。
すなわち、原稿後方排紙口１８から排紙された原稿１ｂは、図２に（ア）で示す上方位置にあるブリッジ部４０を介し、記録媒体折り装置２２０に受け渡されて搬送されるようになっている。
このようなブリッジ部４０を設けることにより、オンライン折りを行いたいときにも、また、手差し折りしたいときにも、記録媒体折り装置２２０に専用の手差し折り機構を設けることなく、それらに対応することができる。
なお、「オンライン折り」とは、画像形成装置２１０において画像が形成され、用紙後方排紙口２５から排出された用紙１ａを折る動作のことをいう。
また、「手差し折り」とは、操作者が用意した用紙を記録媒体折り装置２２０において折り操作をすることをいう。
【００２１】
＜印刷動作＞
給紙部２０から供給，搬送された転写紙１ｃには、画像印刷部２２によって画像が印刷された後、用紙後方排紙口２５から排紙される。
その印刷画像は、上記したメモリに記憶されている画像データや他の機器からネットワークを経由して画像形成装置２１０に送信されてきた画像データである。
なお、用紙後方排紙口２５から排出された用紙１ａは、下方位置（イ）にあるブリッジ部４０を介して記録媒体折り装置２２０に受け渡される。
【００２２】
次に、記録媒体折り装置２２０について説明する。
図１〜３に示すように、記録媒体折り装置２２０は、操作部３１、ブリッジ部４０、端面折り部５０及び記録媒体折り部であるジャバラ折り部６０を有して構成されている。
【００２３】
操作部３１の下部背面側には、用紙１ｄを手差しするための手差しテーブル３２が設けられている。その手差しテーブル３２から差し込まれた用紙１ｄは、用紙搬送路３３を通じて装置内に搬入されるようになっている。
【００２４】
ブリッジ部４０は、上記した上方位置（ア）の原稿後方排紙口１８と、下方位置（イ）の用紙後方排紙口２５との間で揺動できるように軸支されている。
原稿後方排紙口１８への傾動はブリッジ位置上検出センサ４１によって、また、用紙後方排紙口２５への傾動はブリッジ位置下検出センサ４２によってそれぞれ検出されるようになっている。
端面折り部５０は、用紙１ａ（１ｄ）の端面を折る機能を有するものであり、用紙の搬送経路を挟む両側に複数の搬送ローラ等を適宜配設したものである。
【００２５】
ジャバラ折り部６０は、用紙１ａ（１ｄ）の表裏に対応した互いに異なる折り動作を行うものである。
このジャバラ折り部６０は、搬送ローラ対により搬送される用紙を案内するための第１，第２の案内部材６０ｃ，６０ｄ、第１，第２の折りローラ対６０ａ，６０ａ、６０ｂ，６０ｂ、図示しない第１，第２の移動手段を有している。
【００２６】
この構成では、第１，第２の案内部材６０ｃ，６０ｄによって用紙１ａ（１ｄ）を案内させつつ、その第１，第２の案内部材６０ｃ，６０ｄを第１，第２の折りローラ対６０ａ，６０ａ、６０ｂ，６０ｂに第１，第２の移動手段によって当接させて折り曲げている。
【００２７】
換言すると、第１折り、すなわち搬送する用紙１ａ（１ｄ）に対して直行する方向に山折りと谷折りを繰り返すジャバラ折りを行うようになっており、ジャバラ折りが完了した用紙１ａ（１ｄ）は、クロス折り装置２３０に向けて搬送される。
【００２８】
本実施形態における「互いに異なる折り動作」とは、例えば用紙１ａ（１ｄ）の画像が形成（印刷）されている一面に対しては「山折り」を行うことであり、また、用紙１ａ（１ｄ）の画像が形成されていない他面に対しては「谷折り」を行うことである。
【００２９】
次に、クロス折り装置２３０の概略構成について説明する。図４は、上記した第一の実施形態に係る記録媒体折りシステムの背断面図である。
クロス折り装置２３０は、搬送補正部７０、クロス折り部８０及び搬送部９０を有して構成されている。
搬送補正部７０は、スキュー補正を行って紙揃えを行うジョガー７１を有している。
クロス折り部８０は、ジャバラ折りされた用紙１ａ（１ｄ）のクロス折りを行うものであり、折りローラや案内ローラを適宜配設したものである。
【００３０】
上記の構成からなるクロス折り装置２３０の動作は次のとおりである。
搬送補正部７０に搬送されたジャバラ折りされた用紙１ａ（１ｄ）は、ジョガー７１によりスキュー補正が行なわれ、搬送方向を９０°切り替えられて、クロス折り部８０に搬送される。
そして、クロス折り部８０において、ジャバラ折りとは直交する方向に再度紙折りを行い、  大判の用紙を例えばＡ４サイズの大きさに折り畳む。
なお、クロス折り部８０においても、用紙１ａ（１ｄ）の表裏に応じた折り動作を行う機構が設けられている。
【００３１】
図５は、画像形成装置２１０と記録媒体折り装置２２０の電気的構成を示すブロック図である。なお、図５にはクロス折り装置２３０の電気的構成を示すブロック図を示していない。
上述した画像形成装置２１０、記録媒体折り装置２２０及びクロス折り装置２３０は、互いにシリアル通信等により接続されている。
【００３２】
画像形成装置２１０のＣＰＵ（Central Processing Unit）１００には、操作部３０、原稿挿入検知センサ１２、原稿搬送モータ１５、原稿排紙切替ソレノイド１６、画像読取部１３、用紙排紙切替ソレノイド２６、給紙部２０、画像印刷部２２等がインターフェース回路を介して接続されている。
また、ＣＰＵ１００には、読み取った原稿等の画像データを保存しておくための図示しない上記メモリも接続されている。
本実施形態においては、ＣＰＵ１００が画像形成装置２１０の制御中枢をなすコンピュータである。
画像形成装置２１０のＣＰＵ１００は、これに接続されている図示しないメモリに記憶されている所要の記録媒体折りプログラムの実行により、次の機能を発揮する。
（１）画像読取部１３が読み取って得た表裏情報を記録媒体折り装置２２０に送信する機能。この機能を「表裏情報送信手段１００ａ」という。
（２）画像読取部１３の読取結果に基づいて、当該記録媒体の表裏に対応した折り動作を記録媒体折り部（ジャバラ折り部）６０に行わせる機能。この機能を「折り実行手段１００ｂ」という。
本実施形態においては、記録媒体の表面に対応して山折りを、かつ、記録媒体の裏面に対応して谷折りをしているが、その反対の折り方をしてもよいことは勿論である。
【００３３】
記録媒体折り装置２２０のＣＰＵ１１０には、ブリッジ位置上検出センサ４１、ブリッジ位置下検出センサ４２、用紙搬送モータ４３、後端検知センサ４４、用紙切り替えソレノイド４５、端面折り部５０、ジャバラ折り部６０等が接続されている。
【００３４】
なお、符号４６で示すものは、上記したブリッジ部４０を電動により傾動させるためのブリッジ位置切り替えモータである。
すなわち、本実施形態においてはブリッジ部４０は手動で傾動させているが、ブリッジ位置切り替えモータ４６を設けることにより、電動により傾動させることもできるようにしている。
本実施形態においては、ＣＰＵ１１０が記録媒体折り装置２２０の制御中枢をなすコンピュータである。
【００３５】
記録媒体折り装置２２０のＣＰＵ１１０は、これに接続されている図示しないメモリに記憶されている所要の記録媒体折りプログラムの実行により、次の機能を発揮する。
（１）ブリッジ部４０の上下を判別するブリッジ上下判別機能。この機能を「ブリッジ上下判別手段１１０ａ」という。
本実施形態においては、ブリッジ位置上検出センサ４１がオンであるかブリッジ位置下検出センサ４２がオンであるかを検出することによって、ブリッジ部４０の停止位置を判別している。
なお、ブリッジ部４０の動作を検出するセンサとしては、単一のものを採用することができる。
【００３６】
次に、図６を参照して、画像形成装置２１０と記録媒体折り装置２２０の制御内容について説明する。図６は、画像形成装置２１０と記録媒体折り装置２２０の制御内容を示すフローチャートである。
なお、図６においては、図示左側が画像形成装置２１０における処理、右側が記録媒体折り装置２２０における処理をそれぞれ示している。
【００３７】
＜画像形成装置２１０における処理＞
以下には、既に画像が印刷されている用紙１ｄを原稿搬送テーブル１１に載置して折り畳ませる場合について説明する。
画像形成装置２１０における処理は、用紙１ｄの先端が本装置から排出される直前に、記録媒体折り装置２２０に対し、用紙１ｄがこれから挿入されることを示す起動信号を通知する。
これにより、記録媒体折り装置２２０は用紙１ｄの受け入れを行うための各種準備（搬送駆動の開始等）を行う。
このとき、画像形成装置２１０は、上記起動信号とともに折り動作等の動作条件の指示も記録媒体折り装置２２０に合わせて通知する。
具体的には次のとおりです。
【００３８】
ステップ１（図６中、「Ｓ１ａ」と略記する。以下、同様。）：原稿搬送テーブル１１によって原稿１ｄの搬送を開始させるとともに、画像読取部１３による原稿１ｄの表裏を判別するための設定を行ってステップ２に進む。
ステップ２：原稿１ｄを再スタートさせる。
【００３９】
ステップ３：原稿１ｄの表面の読み取り結果に基づいて、原稿１ｄの表裏を判断してステップ４に進む。
ステップ４：原稿１ｄの判断結果に基づく表裏の判別結果を、原稿１ｄの表裏データとしてメモリに記憶してステップ５に進む。表裏データは搬送される複数の原稿１ｄ毎に対応付けられてメモリに記憶される。
【００４０】
ステップ５：原稿１ｄの表裏データを記録媒体折り装置２２０に送信してステップ６に進む。
ステップ６：原稿１ｄを排出処理してステップ７に進み、原稿１ｄの判別処理を終了する。
【００４１】
＜記録媒体折り装置２２０における処理＞
図７は、ジャバラ折り部６０により折り動作を行う様子を示す説明図であり、（Ａ）は、表面に画像が印刷されているとき、山折りから谷折りを行う動作、（Ｂ）は、裏面に画像が印刷されているとき、谷折りから山折りを行う動作を示している。
【００４２】
記録媒体折り装置２２０のＣＰＵ１１０に折り動作を実行させるための記録媒体折りプログラムは、上記画像読取部１３の読取結果に基づいて、当該記録媒体の表裏に対応した折り動作をジャバラ折り部６０に行わせる折り実行ステップを有している。
すなわち、画像読取部１３の読取結果に基づいて、当該記録媒体の表裏に対応した折り動作を記録媒体折り部（ジャバラ折り部）６０に行わせている。
【００４３】
記録媒体折り装置２２０における処理の概略を示すと、まず、この記録媒体折り装置２２０の内部へ挿入された用紙１ｄは、用紙搬送モータ４３の駆動により、本装置の下部へ向けて搬送される。
【００４４】
そして、画像形成装置２１０の指示に従い、端面折り部５０、ジャバラ折り部６０にて紙折りされ、ジャバラ折り排紙口６１から、紙折り仕上げした状態で排紙される。
なお、上記した端面折り、ジャバラ折りを行わず（紙折りを行わず）に、ジャバラ折り排紙口６１から用紙１ｄをそのまま排紙することもできる。
【００４５】
本実施形態における具体的な処理は、次のとおりである。
ステップ１（図６中、「Ｓ１ｂ」と略記する。以下、同様。）：用紙挿入検知センサ４６のオン動作によってステップ２ｂに進む。
【００４６】
ステップ２：用紙１ｄを一旦停止せて、ステップ３ｂに進む。
ステップ３：画像形成装置２１０から送信された表裏データを取得して、ステップ４に進む。
ステップ４：用紙１ｄを再スタートさせてステップ５に進む。
【００４７】
ステップ５：ブリッジ部４０の上下動作を判別し、下方位置に移動していると判別されればステップ６に進み、上方位置に移動していると判別されればステップ７に進む。
【００４８】
ステップ６：ブリッジ部４０が下方位置（イ）に傾動停止していることにより、用紙１ｄは画像形成装置２１０から送出され、用紙１ｄの表面に常に画像が印刷されている。
すなわち、上記した用紙１ａが画像形成装置２１０から搬送されているので、用紙１ａの表面には常に画像が印刷されている。
従って、この場合には、図７（Ａ）に示すようにして、ジャバラ折り部６０により山折りから折り動作を開始し、所要の折り動作を繰り返した後折り動作を終了する。
【００４９】
ブリッジ部４０が上方位置（ア）に傾動停止しているときには、上記した用紙１ｄが手差しされているので、この場合には、ステップ７において画像形成装置２１０から送信された表裏データに基づき、用紙１ｄの表裏を判別するのである。
【００５０】
ステップ７：画像形成装置２１０から送信された表裏データに基づいて用紙１ｄの表裏を判別し、用紙１ｄが表面であると判別されればステップ８に進み、そうでなければステップ９に進む。
【００５１】
ステップ８：図７（Ａ）に示すようにして、山折りから折り動作を開始し、所要の折り動作を繰り返した後に、折り動作を終了する。
ステップ９：用紙１ｄの裏面に画像が印刷されているので、図７（Ｂ）に示すようにして、谷折りから折り動作を開始し、所要の折り動作を繰り返した後に、折り動作を終了する。
【００５２】
＜第二の実施形態＞
次に、図８，９を参照して、第二の実施形態に係る記録媒体折りシステム２４０について説明する。
図８は、画像形成装置の操作部を中心とした部分拡大側断面図である。また、図９（Ａ）は、他例に係る記録媒体折り装置の側面図、同図（Ｂ）は、（Ａ）に示す記録媒体折り装置の部分拡大側断面図、（Ｃ）は、（Ａ）に示す記録媒体折り装置の部分拡大側断面図である。
【００５３】
図８に示す画像形成装置２１０の操作部３０には、画像読取部１３と画像読取部１９が配設され、また、図９に示すように、用紙を反転させるための反転機構１２０を記録媒体折り装置２２０に設けた構成のものである。
【００５４】
画像読取部１３と画像読取部１９は、上記した原稿搬送機構１０の原稿搬送経路を挟む両側対向位置に、互いに対向させて配している。
これら画像読取部１３，１９双方により用紙１ｄの表面を読み取ることにより、用紙１ｄの表裏面のいずれかに画像がある否か、また、用紙１ｄの前後をそれぞれ判別できるようにしている。
【００５５】
反転機構１２０は、搬送経路上に配設された用紙１ｄの後端を検知する上記後端検知センサ４４と、搬送路を切り替えるための用紙切り替えソレノイド４５とを配設したものである。
【００５６】
上記反転機構１２０を設けた場合、記録媒体折り装置２２０のＣＰＵ１１０には、次の機能実現手段を設ける。
（１）後端検知センサ４４により用紙１ｄの後端を検知したか否かを判別する後端検知機能。この機能を「後端検知判別手段」という。
（２）後端検知判別手段により、用紙１ｄの後端を検知したと判別したときには、 用紙切り替えソレノイド４５を駆動して搬送路を切り替える機能。この機能を、「搬送路切替手段」という。
【００５７】
上記の構成からなる反転機構１２０の動作は、次のとおりである。
上記画像読取部１３，１９双方により読み取った用紙１ｄの表面の読み取り結果により、用紙１ｄの表裏面のいずれかに画像がある否か、また、用紙１ｄの前後をそれぞれ判別する。
上記判別結果により、用紙切り替えソレノイド４５を動作させて、用紙１ｄを排出口側にいったん搬送させる。
その後、用紙１ｄの後端を後端検知センサ４４で検知したと判別したときには、搬送していた用紙１ｄをいったん停止させる。
そして、停止後、搬送切り替えソレノイド４５を動作させ、用紙１ｄを記録媒体折り装置２２０内部に搬送させる。
【００５８】
この動作を行うことにより、用紙１ｄを前後に反転することができる。また、原稿挿入口より、表裏と前後のどの方向で挿入しても同じ折り方をすることができる。
【００５９】
なお、本発明は上述した実施形態に限るものではなく、次のような変形実施が可能である。
＜変形例＞
上述した実施形態においては、画像形成装置２１０に設けた画像読取部１３（１９）によって、記録媒体折り装置２２０に搬送される記録媒体の表面を読み取るようにしていたが、次のような構成にすることができる。
記録媒体折り装置２２０に、上記した画像読取部１３と同等の画像読取部を、用紙搬送路３３に沿って配置する。
また、記録媒体折り装置２２０のＣＰＵ１１０に、次の機能実現手段を設ける。
（１）記録媒体折り装置２２０に設けた画像読取部の読取結果に基づいて、当該記録媒体の表裏に対応した折り動作を記録媒体折り部（ジャバラ折り部）６０に行わせる機能。この機能を「折り実行手段」という。
【００６０】
この構成によれば、記録媒体折り装置２２０に設けた画像読取部の読取結果に基づいて、当該記録媒体の表裏に対応した折り動作を記録媒体折り部に行わせることができる。従って、手差しテーブル３２から差し込まれた用紙１ｄの表裏を判別することができ、記録媒体折り装置２２０を単独で用いることができる。
また、記録媒体折り装置２２０に、上記した画像読取部１３，１９と同等の画像読取部を、用紙搬送路３３を挟む両側に配置することにより、表裏と前後のどの方向で用紙を挿入しても同じ折り方をすることができる。
【００６１】
用紙の両面に画像が印刷されていて折り方を決定できない場合には、画像形成装置から記録媒体折り装置に折りなしを指示する。このとき、記録媒体折り装置は挿入された用紙を折らずにそのまま排出することにより、間違った方向へ折り畳むことを防止することができるとともに、折り動作をやり直すことができる。
【符号の説明】
【００６２】
１ａ，１ｄ    用紙
１ｂ    原稿
１０    原稿搬送機構
１２    原稿挿入検知センサ
１３    画像読取部
１４，２３    搬送切替爪
１５    原稿搬送モータ
１６    原稿排紙切替ソレノイド
１７    原稿上方排紙口
１９    画像読取部
２１    ロール紙
２２    画像印刷部
２４    用紙前方排紙口
２６    用紙排紙切替ソレノイド
３０，３１    操作部
３２    手差しテーブル
３３    用紙搬送路
４０    ブリッジ部
４１    ブリッジ位置上検出センサ
４２    ブリッジ位置下検出センサ
４３    用紙搬送モータ
４５    用紙切り替えソレノイド
４６    ブリッジ位置切り替えモータ
６０    記録媒体折り部
６０ａ，６０ａ    折りローラ対
６０ｂ，６０ｂ    折りローラ対
６０ｃ，６０ｄ    案内部材
６１    ジャバラ折り排紙口
７０    搬送補正部
７１    ジョガー
２００，２４０    記録媒体折りシステム
２１０    画像形成装置
２２０    記録媒体折り装置
２３０    クロス折り装置
【先行技術文献】
【特許文献】
【００６３】
【特許文献１】特開２００６−２９０６１８号公報
【図１】
2016113284.tif 000003
【図２】
2016113284.tif 000004
【図３】
2016113284.tif 000005
【図４】
2016113284.tif 000006
【図５】
2016113284.tif 000007
【図６】
2016113284.tif 000008
【図７】
2016113284.tif 000009
【図８】
2016113284.tif 000010
【図９】
2016113284.tif 000011